(57)【要約】  【課題】  車内に持ち込まれた荷物の形状、大きさに捉われることなく、多様の形状の荷物を保持できるベルト付き保持部の取付構造を提供すること。【解決手段】  シートバックの背面に配設されたフック付き保持具は、フック９のフック同士が互いに引っ掛けできるように、断面形状がJ形状になるように形成している。ベルト８にはベルト８の中間部に長さ調整具１２が設けられている。ベルト８に対して調整具１２を摺動させるようにして、ベルト８の長さを適宜調整できる。そして、シートバック２の背面とフック付きベルト７の間に、ベニヤ板などの板状物１５を挟み込み、板状物１５を運ぶことができるように形成している。【選択図】        図７
2006036153.tif 000002
【特許請求の範囲】
【請求項１】
一端側に保持具が取付けられ他端側に車体側への取付部が設けられた複数のベルトを車室内に間隔を空けて配置し、前記複数のベルトのうち少なくとも一本のベルトに、ベルトの長さを無段階に調整可能な調整具を設けたことを特徴とするベルト付き保持具の取付構造。
【請求項２】
一端側にフック状の保持具が取付けられ他端側に車体側への取付部が設けられた複数のベルトを車室内に間隔を空けて配置し、前記フック状の保持具同士を係止できるように形成し、車載される荷物を抱きかかえるようにして保持するようにしたことを特徴とするベルト付き保持具の取付構造。
【請求項３】
前記複数のベルトをシートのシートバックの背面に配置し、ベルトをシートバックの上端側を通して前面側に延ばせる長さに形成し、保持具をシートバックの前面側に配置し、荷物を保持具で保持するようにしたことを特徴とする請求項１又は２に記載のベルト付き保持具の取付構造。
【請求項４】
前記保持具の形状をシートバックの上部に配設されるヘッドレストの支持ロッドに係止できるように形成し、保持具をロッドに係止させたことを特徴とする請求項１〜３に記載のベルト付き保持具の取付構造。
【請求項５】
前記複数のベルトの取付部のうち少なくとも１つの取付部をガイド部に設け、前記保持具の取付部をガイド部内で移動可能に形成したことを特徴とする請求項１〜４にいずれか1項に記載のベルト付き保持具の取付構造。
【発明の詳細な説明】
【技術分野】
【０００１】
本発明は、車内に持ち込む多様な種類の荷物を保持することができるベルト付き保持具の取付構造に関する。
【背景技術】
【０００２】
自動車などの車両には、スーパーマーケットなどの商店で買った商品を入れる樹脂製の袋を吊るすフックが配設されているものがある。こうしたフックは、買い物袋を容易に吊るすことができ、買い物袋が倒れることなく保持できるので便利である。
登録実用新案第３０２０９１１号に開示された袋吊り下げ具によると、図１０に示すように、袋吊り下げ具５１が、本体５２と袋の把手を吊り下げるフック５３と、本体５２をシート５５のシートバック５６に取付ける取付部材５４とから構成される。本体５２には、上下方向に開口溝５７を形成し、開口溝５７の上部には大径のフック装着孔５８を形成し、フック装着孔５８の下部には等間隔で複数の小径のフック装着孔５９を形成している。
【０００３】
図１１の（ａ）及び（ｂ）に示すように、フック５３は円盤状の基部６０と、断面が四角形状のくびれ部６１と、袋の把手を吊り下げる吊り下げ部６２とからなる。基部６０は、大径のフック装着孔５８よりも小径で、他の小径のフック装着孔５９よりも大径に形成されている。くびれ部６１は、図１１の（ａ）に示すように、短辺が開口溝５７の幅よりも狭く、開口溝５７を上下方向に通過させることができる。また、くびれ部６１は、図１１の（ｂ）に示すように、９０度回転させた長辺側が開口溝５７の幅よりも大きい。よって、フック５３はくびれ部６１を大径のフック装着孔５８から挿入し、開口溝５７を通し、小径のフック装着孔５９でフック５３を９０度回転させて、任意のフック装着孔５９に、フック５３を固定することができる。こうして、フック装着孔５９の高さ位置を変えることにより、図１２に示すように、袋６３を袋吊り下げ具５１により支持することができる。
【０００４】
【特許文献１】登録実用新案公報第３０２０９１１号
【特許文献２】登録実用新案公報第３０００８４８号
【発明の開示】
【発明が解決しようとする課題】
【０００５】
上述した袋吊り下げ具５１は、本体５２の複数あるフック装着孔５９の位置を変えることにより、その高さを調整することができるが、微妙な長さの位置調整ができない。また、フック５３の高さ位置調整をするために、本体５２の構造が複雑になっている。
また、袋吊り下げ具５１のフック５３の用途は、商品を入れた買い物袋をそのまま吊るしたり、ごみ袋にしたりして使用されるが、その用途は限られている。
例えば、ベニヤ板、灯油容器などのフックの引っ掛け部のないような荷物を保持することができない。また、かりにフックの形状について、灯油容器を保持することができてもベニヤ板を保持することができなかったりする。また、重量のあるものを吊るすとフックが破損することがある。
本発明は、このような事情に鑑みてなされたものであって、車内に持ち込まれた荷物の形状、大きさに捉われることなく、多様な形状の荷物を保持できるベルト付き保持部の取付構造を提供することを目的とする。
【課題を解決するための手段】
【０００６】
本発明は、上記目的を達成するために、一端側に保持具が取付けられ他端側に車体側への取付部が設けられた複数のベルトを車室内に間隔を空けて配置し、前記複数のベルトのうち少なくとも一本のベルトに、ベルトの長さを無段階に調整可能な調整具を設けた。
また、本発明は、上記目的を達成するために、一端側にフック状の保持具が取付けられ他端側に車体側への取付部が設けられた複数のベルトを車室内に間隔を空けて配置し、前記フック状の保持具同士を係止できるように形成し、車載される荷物を抱きかかえるようにして保持するようにした。
上記各発明は、前記複数のベルトをシートのシートバックの背面に配置し、ベルトをシートバックの上端側を通して前面側に延ばせる長さに形成し、保持具をシートバックの前面側に配置し、荷物を保持具で保持することができる。
また、上記各発明は、前記保持具の形状をシートバックの上部に配設されるヘッドレストの支持ロッドに係止できるように形成し、保持具をロッドに係止させることができる。
さらに、上記各発明は、前記複数のベルトの取付部のうち少なくとも１つの取付部をガイド部に設け、前記保持具の取付部をガイド部内で移動可能に形成することができる。
【発明の効果】
【０００７】
本発明は、一端側に保持具が取付けられ他端側に車体側への取付部が設けられた複数のベルトを車室内に間隔を空けて配置し、前記複数のベルトのうち少なくとも一本のベルトに、ベルトの長さを無段階に調整可能な調整具を設けたので、２種以上の買い物袋を保持できる。また、２本のベルト付き保持具を利用して、１つの商品を保持することもできる。例えば、一対の把持部がある買い物袋の一方の把持部を一方のベルト付き保持具で保持し、他方の把持部を他方のベルト付き保持具で保持することができる。同様にして、リュックサックなどの大きな荷物の一対の肩掛けバンドを２本のベルト付き保持具で、個々に保持することができる。
また、本発明は、一端側にフック状の保持具が取付けられ他端側に車体側への取付部が設けられた複数のベルトを車室内に間隔を空けて配置し、前記フック状の保持具同士を係止できるように形成し、車載される荷物を抱きかかえるようにして保持するようにしたので、荷物を安定して保持することができる。特に板材などの運搬に利用できる。
上記各発明は前記複数のベルトをシートのシートバックの背面に配置し、ベルトをシートバックの上端側を通して前面側に延ばせる長さに形成し、保持具をシートバックの前面側に配置し、荷物を保持具で保持するようにしたので、例えば、シートクッションの上に置いた買い物袋の把持部を保持具で保持することができる。
また、上記発明は、前記保持具の形状をシートバックの上部に配設されるヘッドレストの支持ロッドに係止できるように形成し、保持具をロッドに係止させたので、ベルトのブラツキを防止できる。
さらに、上記発明は、前記複数のベルトの取付部のうち少なくとも１つの取付部をガイド部に設け、前記保持具の取付部をガイド部内で移動可能に形成したので、異なる荷物の大きさ対して対応が可能になる。
【発明を実施するための最良の形態】
【０００８】
以下、本発明の実施の形態によるベルト付き保持具の取付構造について、図面を参照しながら説明する。
図１は、自動車の荷室の前に配設されるリヤシート１のシートバック２を背面側から見た図である。ベンチ式若しくは分割式のシートバック２の背面には、その上部側に一対のフック付きベルト７を、車幅方向へ間隔を空けて配設している。
図２及び図３に示すように、フック付きベルト７は、ベルト８の一端にフック９を取付け、他端には取付ワッシャ１０を形成し、この取付ワッシャ１０の孔にボルト１１やスクリューを通し、シートバック２の内部に配設されているフレーム部分やバックパネルに形成されたネジ孔を介して締着される。
【０００９】
フック９は、フック同士が互いに引っ掛けできるように、断面形状がJ形状になるように形成している。フック９の材質は、樹脂や金属を使用することができ、ベルト８の材質は、布、皮、合成樹脂などが使用できる。ベルト８にはベルト８の長手方向の中間部に長さ調整具１２が設けられている。ベルト８に対して調整具１２を摺動させるようにして、ベルト８の長さを適宜調整できる。すなわち、図３の状態で調整具１２を上方へ移動させると、ベルト８の長さが短くなり、調整具１２を下方に移動させるとベルト８の長さが長くなる。ベルト８の長さは、一対のフック付きベルト７のフック９同士が引っ掛けることができる長さとするのが好ましい。
【００１０】
図４は、フック付きベルト７のベルト８を買い物袋１３の把持部の環に通し、フック９をヘッドレスト５のロッド６に引っ掛けた状態を示している。ベルト８の長さは、調整具１２により買い物袋１３が倒れないように適宜調整する。買い物袋１３をリアフロアの上に載せているので、フック９に過大な重量負担がかかることがない。なお、買い物袋１３の大きさによっては、ベルト８の長さを短くして、フック９に買い物袋を直接吊るすようにしてもよく、軽いものであればリアフロア上に載せないで吊るすことも可能である。なお、図４に示すように、シートバック２にフック付きベルト７は、３箇所以上に取付けてもよい。
【００１１】
図５は、フック付きベルト７のベルト８をシートバック２の裏面側から前面側に延ばし、買い物袋１３の把持部をフック９に引っ掛けて、シートクッション４の上に買い物袋１３保持させている。室内側から買い物袋１３の保持状態を監視できるので、便利である。
図６は、灯油容器１４の把持部にベルト８を通し、フック９をヘッドレスト５のロッド６に引っ掛けた状態を示す。ベルト８の長さを調整すれば、走行中に灯油容器１４が倒れることがない。
【００１２】
図７は、左右一対のフック付きベルト７のフック９同士を引っ掛けている。そして、互いのフックが外れないように、ややフック付きベルト７を引っ張り状態にして、シートバック２の背面とフック付きベルト７の間に、ベニヤ板などの板状物１５を挟み込み、板状物１５を運ぶことができる。
図８に示すシートバック２は、ガイドレール１６をシートバック２のバックパネルに固定し、フック付きベルト７を左右にスライドできるようにしている。すなわち、図８のＡ部に示すように、ガイドレール１６の内部に回り止めがされた外形が矩形のナット１８を遊嵌し、ナット１８とボルト１１により、ガイドレール１６とボルト１１間にフック付きベルト７を締結して、フック付きベルト７をガイドレール１６に固定できる。なお、ガイドレール１６は、横方向のみならず、縦方向や斜めに配置してもよい。
【００１３】
図９は、ボルト１１の取付孔１７をシートバック２のバックパネルに設け、適宜フック付きベルト７の位置を変えることができるようにした。こうして、シートバック２の中間高さ位置に、一対のフック付きベルト７を設けることにより、図６に示す灯油容器１４をベルト７で抱きかかえるようにして保持できる。また、ボルト１１の頭部はマイナス形状に形成し、コインで手軽に回転させて取り外せることが好ましい。
【００１４】
以上、本発明の実施の形態によるベルト付き保持具の取付構造について説明したが、本発明の技術的思想に基づいて、勿論、本発明は種々の変形又は変更が可能である。
例えば、フック付きベルト７のフック９の形状は、用途に変えて、各々変化させてもよい。例えば、洗濯はさみのようなクリップでもよい。また、一方のフック９の形状を環形状にして、他方のフック９を環に引っ掛けるようにしてもよい。また、１組のフック付きベルト７のうち、一方のフック付きベルト７の長さ調整具１２を省略してもよいし、両方のフック付きベルト７の調整具１２を省略してもよい。ただし、両方のフック付きベルト７のフック９を引っ掛けるようにすることが好ましい。
また、本実施の形態では、図４〜図９に示すように、シートバック２の背面側にフック付きベルト７を配設したが、フロント側シートや、荷室のサイドボディの側面に一対のフック付きベルト７を配設するようにしてもよい。
このように、乗員のフック付きベルト７の用い方により種々の応用が可能である。
【図面の簡単な説明】
【００１５】
【図１】本発明のベルト付き保持具の取付構造を採用したシートバックを背面側から見た斜視図である。
【図２】図１に示すシートバックに配設したベルト付き保持具の拡大正面図である。
【図３】図１に示すシートバックに配設したベルト付き保持具の拡大側面図である。
【図４】図１に示すベルト付き保持具を３本配設し、ベルト付き保持具のフックをヘッドレストのロッドに係止させて買い物袋を保持している状態を示すシートバックの背面側から見た斜視図である。
【図５】図１に示すベルト付き保持具をシートバックの前面側に配置して買い物袋を保持している状態のリヤシートの前面側から見た斜視図である。
【図６】図１に示すベルト付き保持具のフックを灯油容器の把持部を通してヘッドレストのロッドに係止させて灯油容器を保持している状態をシートバックの背面側から見た斜視図である。
【図７】図１に示すベルト付き保持具のフック同士を引っ掛けて、板材を保持している状態でシートバックの背面側から見た斜視図である。
【図８】図１に示すベルト付き保持具を左右に移動可能にした状態をシートバックの背面側から見た斜視図である。
【図９】図１に示すベルト付き保持具の取付部を取り外し可能にした状態をシートバックの背面部から見た斜視図である。
【図１０】従来の買い物袋を吊るすことができる長さ調整具付きフックの正面図である。
【図１１】（ａ）は、フックの使用状態における位置の側面図であり、（ｂ）は（ａ）のフックを９０度回転させた状態で、長さ調整具としての本体のフック挿入位置を示す。
【図１２】図１１の長さ調整具付きフックをシートに取付けた状態の側面図である。
【符号の説明】
【００１６】
２  シートバック
５  ヘッドレスト
６  ロッド
７  フック付きベルト
８  ベルト
９  フック
１１  ボルト
１２  長さ調整具
１３  買い物袋
１６  ガイドレール
１７  ボルトの取付孔
【図１】
2006036153.tif 000003
【図２】
2006036153.tif 000004
【図３】
2006036153.tif 000005
【図４】
2006036153.tif 000006
【図５】
2006036153.tif 000007
【図６】
2006036153.tif 000008
【図７】
2006036153.tif 000009
【図８】
2006036153.tif 000010
【図９】
2006036153.tif 000011
【図１０】
2006036153.tif 000012
【図１１】
2006036153.tif 000013
【図１２】
2006036153.tif 000014